(57)【要約】【課題】  暑い時期でも快適に上着を携帯できるとともに上着に皺をつける恐れを低減可能な衣類用携帯ハンガーを提供することである。【解決手段】  鞄に装着可能な衣類用携帯ハンガーであって、衣類を掛けるバーと、該バーに掛けられた衣類を該バーとともに挟持する押さえバーと、該バーの一端と該押さえバーの一端とを連結する連結部と、該バーに衣類が掛けられた状態で、該バーの他端と該押さえバーの他端とを解除可能に結束する結束部材と、該バー又は該押さえバーに配設され鞄に該衣類用携帯ハンガーを装着するフックと、を備えたことを特徴とする。【選択図】図２
2014054384.tif 000002
【特許請求の範囲】
【請求項１】
鞄に装着可能な衣類用携帯ハンガーであって、
衣類を掛けるバーと、
該バーに掛けられた衣類を該バーとともに挟持する押さえバーと、
該バーの一端と該押さえバーの一端とを連結する連結部と、
該バーに衣類が掛けられた状態で、該バーの他端と該押さえバーの他端とを解除可能に結束する結束部材と、
該バー又は該押さえバーに配設され鞄に該衣類用携帯ハンガーを装着するフックと、
を備えたことを特徴とする衣類用携帯ハンガー。
【請求項２】
前記フックは、前記バー又は前記押さえバーの前記一端と前記他端との２か所に配設されている請求項１記載の衣類用携帯ハンガー。
【発明の詳細な説明】
【技術分野】
【０００１】
本発明は、鞄等に装着可能な衣類用携帯ハンガーに関する。
【背景技術】
【０００２】
最近は夏の暑い時期には軽装で出勤するクールビズが推奨されており、上着を特に着用せずにワイシャツ等の軽装で出勤する姿がよく見受けられる。
【０００３】
しかし、営業の現場等では、ネクタイは付けなくとも上着の着用は必須であり、暑い時期の外出時には上着を脱ぎ手に持って出歩くことが多い。
【先行技術文献】
【特許文献】
【０００４】
【特許文献１】実開昭６２−４０９１７号公報
【発明の概要】
【発明が解決しようとする課題】
【０００５】
上着を脱いでの歩行中には、上着を腕に掛けたり肩に掛けたりしながら歩くことになるが、上着を腕に掛けると腕が暑く不快な上、上着に皺ができてしまうという問題がある。また、上着を肩に掛けるのはマナーの点から好ましくない。
【０００６】
本発明はこのような点に鑑みてなされたものであり、その目的とするところは、暑い時期でも快適に上着を携帯できるとともに上着に皺をつける恐れを低減可能な衣類用携帯ハンガーを提供することである。
【課題を解決するための手段】
【０００７】
本発明によると、鞄に装着可能な衣類用携帯ハンガーであって、衣類を掛けるバーと、該バーに掛けられた衣類を該バーとともに挟持する押さえバーと、該バーの一端と該押さえバーの一端とを連結する連結部と、該バーに衣類が掛けられた状態で、該バーの他端と該押さえバーの他端とを解除可能に結束する結束部材と、該バー又は該押さえバーに配設され鞄に該衣類用携帯ハンガーを装着するフックと、を備えたことを特徴とする衣類用携帯ハンガーが提供される。
【発明の効果】
【０００８】
本発明の衣類用携帯ハンガーは、衣類が掛けられた状態でフックにより鞄に装着できるため、上着を腕に掛ける必要がなく、快適に上着を携帯することができる。また、上着等の衣類はバーと押さえバーとで挟持された状態で携帯されるため、移動中に衣類がよれて皺が発生する恐れを低減できる。
【０００９】
請求項２記載の衣類用携帯ハンガーでは、フックを二つ有するため、鞄への安定した装着が可能である。
【図面の簡単な説明】
【００１０】
【図１】本発明実施形態に係る衣類用携帯ハンガーの一例を示す側面図である。
【図２】鞄のポケットに衣類用携帯ハンガーを装着する様子を示す側面図である。
【図３】鞄のポケットに衣類用携帯ハンガーを装着した状態の側面図である。
【図４】本発明第２実施形態に係る衣類用携帯ハンガーを鞄の肩紐に装着する様子を示す説明図である。
【発明を実施するための形態】
【００１１】
以下、本発明の実施形態を図面を参照して詳細に説明する。図１を参照すると、本発明第１実施形態に係る衣類用携帯ハンガー（以下、単に携帯ハンガーと称することがある）２の側面図が示されている。
【００１２】
携帯ハンガー２は、衣類を掛けるバー４と、バー４に掛けられた衣類をバー４とともに挟持する押さえバー６と、バー４の一端４ａと押さえバー６の一端６ａとを連結する連結部８と、バー４に衣類が掛けられた状態でバー４の他端４ｂと押さえバー６の他端６ｂとを解除可能に結束する結束部材１０とを含んでいる。
【００１３】
携帯ハンガー２の押さえバー６の一端６ａ近傍にはフック１２が固定されており、他端６ｂにはフック１４が固定されている。本実施形態では、結束部材１０として面ファスナーが採用されている。バー４の他端４ｂと押さえバー６の他端６ｂとは面ファスナー１０を矢印Ａのように引き回すことにより結束される。
【００１４】
バー４及び押さえバー６は樹脂や金属（針金）等から形成され、金属製の場合は樹脂やウレタン等で被覆すると上着を傷めず、好ましい。バー４及び押さえバー６の断面形状は円形又は四角形の何れでも採用可能である。
【００１５】
バー４及び押さえバー６を一本の長い棒状部材から形成し、連結部８を折り部としてバー４及び押さえバー６を形成するようにしてもよい。本実施形態では、フック１２，１４を押さえバー６に固定されているが、フック１２，１４をバー４に固定するようにしても良い。
【００１６】
本発明の携帯ハンガー２は、営業又は会社訪問等の場合には、営業マン又はビジネスパーソンが書類等を入れる鞄を携帯するのが一般的であるため、主に鞄に装着するのに適した携帯ハンガーとして開発したものである。
【００１７】
図２を参照すると、携帯ハンガー２を鞄１８に装着する様子を示す側面図が示されている。携帯ハンガー２には背広等の上着１６がバー４と押さえバー６とで挟持されており、バー４の他端４ｂと押さえバー６の他端６ｂとは結束部材としての面ファスナー１０で結束されている。鞄１８はポケット２０と、肩紐２２と、手提げ部２４とを有している。
【００１８】
本実施形態の衣類用携帯ハンガー２は、矢印Ｂに示すように鞄１８のポケット２０に装着するのに特に適している。図３は上着１６の掛けられた携帯ハンガー２がフック１２，１４により鞄１８のポケット２０に装着された状態の側面図を示している。
【００１９】
このように上着１６が掛けられた携帯ハンガー２をフック１２，１４により鞄１８のポケット２０に装着し、肩紐２２を肩に掛けるか、又は手提げ部２４を手で掴むかして、鞄１８とともに携帯ハンガー２で上着１６を持ち運ぶことができる。
【００２０】
本実施形態の携帯ハンガー２によると、フック１２，１４により鞄１８のポケット２０に装着して上着１６を快適に携帯できるとともに、上着１６はバー４と押さえバー６とで挟持された状態で携帯されるため、移動中に上着１６がよれて皺が発生する恐れを低減できる。
【００２１】
図４を参照すると、本発明第２実施形態に係る衣類用携帯ハンガー２Ａを鞄１８の肩紐２２に装着する様子を示す側面図が示されている。本実施形態の携帯ハンガー２Ａでは、押さえバー６の一端６ａと他端６ｂにチェーンや紐等からなる屈曲可能部材３４，３６が固定されている。そして、屈曲可能部材３４，３６に留め付きフック３８，４０が装着されている。
【００２２】
吹き出し拡大部Ｐに示すように、バー４と押さえバー６とは、押さえバー６にピン２８で回動可能に取り付けられたＵ形状結束部材２６により解除可能に結束される。吹き出し拡大部Ｐの（Ｂ）に示すように、この実施形態ではバー４は円形断面を有しており、押さえバー６は四角形断面を有している。この断面形状は一例に過ぎず、バー４及び押さえバー６が円形及び四角形の他の組合せの断面形状を有していても良い。
【００２３】
結束部材の代替実施形態として、吹き出し拡大部Ｑに示すように、結束部材１０を係合部３０と被係合部３２とからなるスナップファスナーで留めるようにしても良い。即ち、バー４及び押さえバー６を結束部材１０で結束するには、結束部材１０の係合部３０を矢印Ａに示すように引き回して被係合部３２にスナップ係合するようにすればよい。
【００２４】
本実施形態の携帯ハンガー２Ａは、屈曲可能部材３４，３６に装着された留め付きフック３８，４０を有しているため、鞄１８に取り付けられた肩紐２２の基部２２ａ，２２ｂに留め付きフック３８，４０を引っかけることにより、上着１６が掛けられた携帯ハンガー２Ａを鞄１８に装着して携帯することができる。
【００２５】
本実施形態の携帯ハンガー２Ａでは、鞄の外部にポケット２０を有しない場合にも、肩紐２２に携帯ハンガー２Ａを装着して上着１６を携帯することができる。よって、携帯ハンガー２Ａを掛ける場所の自由度が向上する。
【符号の説明】
【００２６】
２，２Ａ    衣類用携帯ハンガー
４    バー
６    押さえバー
８    連結部
１０    結束部材
１２，１４    フック
１８    鞄
２０    ポケット
２２    肩紐
２６    Ｕ形状結束部材
３０，３２    フックファスナー
３４，３６    屈曲可能部材
３８，４０    留め付きフック
【図１】
2014054384.tif 000003
【図２】
2014054384.tif 000004
【図３】
2014054384.tif 000005
【図４】
2014054384.tif 000006